(57)【要約】【課題】  テンプル部が着脱自在な防塵眼鏡を提供する。【解決手段】  着用者の眼の前方に位置する眼鏡部１１は、フレーム部１２により保持され、フレーム部１２には柔軟かつ弾性を有する防塵部１３が付設されている。フレーム部１２の両側部には枠部が設けられ、その一辺に縦方向にバンド挿通軸１４を有する連結部１５が形成されており、このバンド挿通軸１４に左右対称のテンプル部１６の基部１７が回動自在かつ着脱自在に連結されている。テンプル部１６の基部１７には先端を円弧状に折り返したフック部１８が設けられ、後端部には耳当部１９が形成され、中間部には内側に折り曲げ可能なヒンジ部２０が設けられている。【選択図】        図１
2005128426.tif 000002
【特許請求の範囲】
【請求項１】
眼の前方に位置する透明硬質材料から成る眼鏡部と、該眼鏡部を保持するフレーム部と、該フレーム部に周設したひれ状の防塵部と、前記フレーム部に取り付けたテンプル部とを有する防塵眼鏡において、前記テンプル部はその基部を前記フレーム部の連結部に回動自在にかつ着脱自在に取り付けたことを特徴とする防塵眼鏡。
【請求項２】
前記連結部にはバンド挿通軸を設け、該バンド挿通軸に前記テンプル部のフック部を掛止したことを特徴とする請求項１に記載の防塵眼鏡。
【請求項３】
前記テンプル部は中間部にヒンジ部による折曲部を設けたことを特徴とする請求項１に記載の防塵眼鏡。
【請求項４】
前記バンド挿通軸には、前記テンプル部に代えてヘッドバンドを取り付けることを特徴とする請求項２に記載の防塵眼鏡。
【発明の詳細な説明】
【技術分野】
【０００１】
本発明は、顔部に装着して飛散物、風圧、粉塵、飛沫等から眼を保護する防塵眼鏡に関するものである。
【背景技術】
【０００２】
従来のこの種の防塵眼鏡は、図６に示すようにヘッドバンドを用いて頭部に装着するゴーグルタイプのものが多用されている。
【０００３】
その従来の防塵眼鏡は、フレーム部１により透明硬質材料から成る眼鏡部２を保持すると共にフレーム部１の周囲に可撓性を有するひれ状の防塵部３を設け、フレーム部１にヘッドバンド４を取り付けている。
【０００４】
このゴーグルタイプの防塵眼鏡は、防塵部３が眼の周囲に密着するため、高粉塵濃度の作業現場や薬液飛沫、塗装作業現場等の悪環境下においては安全性等の点で効果的であるが、一方で着脱が不便であり、特にヘルメットを着用している場合には、ヘルメットを外してから着脱しなければならない煩わしさがある。
【０００５】
従って、危険性がさほど伴わない軽作業等においては、ヘッドバンド４を使用せずに、普通の眼鏡のつる部のようなテンプル部を用いて、簡便に着脱可能とすることが好ましい場合がある。
【発明の開示】
【発明が解決しようとする課題】
【０００６】
このような観点から、ヘッドバンドとテンプル部を代替可能とする眼鏡が特許文献１に開示されている。この眼鏡においては、ゴーグル用のバンド３５とテンプル３０が交換可能とされている。
【０００７】
【特許文献１】特許第２８６６５８６号公報
【０００８】
しかしながら、この特許文献１におけるゴーグル兼用眼鏡において、テンプル３０を使用する場合には、レンズフレーム１５の側縁部１６に対しサイドジョイント２５は固定的に連結されることから、テンプル３０を折り曲げる際には、テンプル３０の中間に設けられた蝶番部２７において曲げることになりことになり、コンパクトに収納することが困難である。
【０００９】
また、この眼鏡ではバンド３５に代替する場合において、バンド３５の端縁にも、フレーム１５の側縁部１６に対応するサイドジョイント３２を取り付けておく必要があり、専用のバンド３５を用意しなければならない。
【００１０】
本発明の目的は、上述の問題点を解消し、フレーム部にテンプル部を容易に取り付けることができ、テンプル部をフレーム部との連結部でコンパクトに折り曲げ得る防塵眼鏡を提供することにある。
【課題を解決するための手段】
【００１１】
上記目的を達成するための本発明に係る防塵眼鏡は、眼の前方に位置する透明硬質材料から成る眼鏡部と、該眼鏡部を保持するフレーム部と、該フレーム部に周設したひれ状の防塵部と、前記フレーム部に取り付けたテンプル部とを有する防塵眼鏡において、前記テンプル部はその基部を前記フレーム部の連結部に回動自在にかつ着脱自在に取り付けたことを特徴とする。
【発明の効果】
【００１２】
本発明に係る防塵眼鏡によれば、フレーム部に対しテンプル部を回動自在かつ着脱自在に連結し、テンプル部に代えてヘッドバンドを好適に使用できる。
【発明を実施するための最良の形態】
【００１３】
本発明に係る防塵眼鏡において、前記連結部にはバンド挿通軸を設け、該バンド挿通軸に前記テンプル部のフック部を掛止したことを特徴とする。
【００１４】
本発明に係る防塵眼鏡において、前記テンプル部は中間部にヒンジ部による折曲部を設けたことを特徴とする。
【００１５】
本発明に係る防塵眼鏡において、前記バンド挿通軸には、前記テンプル部に代えてヘッドバンドを取り付けることを特徴とする。
【実施例１】
【００１６】
図１は実施例の防塵眼鏡を後方から見た斜視図を示している。着用者の眼の前方に位置する眼鏡部１１は、合成樹脂製のフレーム部１２により保持されている。なお、眼鏡部１１は透明で硬質の例えばポリカーボネイト、ジエチレングリコールビスアリルカーボネイト等の合成樹脂材により成形されている。
【００１７】
フレーム部１２には、粉塵等が眼の周りに入り込まないような防塵効果を助長するためと、フレーム部１２の縁部が顔面に強く接触した場合に、その接触圧を緩和するための合成樹脂から成る柔軟かつ弾性を有する合成樹脂製のひれ状の防塵部１３が、接着剤を用いて付設されている。この防塵部１３は粉塵や飛散物が顔面との隙間からの進入することを防止する役割を果たし、縁部においては顔面にフィットし易いように薄肉とされ、外側にカールされている。なお、この防塵部１３はフレーム部１２に対し取り外し自在とすることもできる。
【００１８】
フレーム部１２の両側部には枠部が設けられ、その一辺に縦方向にバンド挿通軸１４を有する連結部１５が形成されており、このバンド挿通軸１４にテンプル部１６の基部１７がそれぞれ連結されている。テンプル部１６は左右で対称形とされ、例えば透明な合成樹脂から成り、図２に示すように、その基部１７には先端を円弧状に折り返したフック部１８が設けられ、後端部には耳当部１９が形成され、中間部には内側に折り曲げ可能なヒンジ部２０が設けられている。更に、基部１７とヒンジ部２０の間は内側にクランク形状に曲げられている。
【００１９】
図３はテンプル部１６を連結部１５に対し回動自在に連結した状態の断面図を示し、フック部１８がバンド挿通軸１４に回動自在にかつ着脱自在に掛止されている。フック部１８の背部には鋸歯部２１が設けられ、連結部１７の一部に対し摩擦抵抗が大きいクリック機構として作用するようになっている。また、基部１７の先端には突起２２が設けられ、テンプル部１６が所定角以上に拡がらないように規制されている。
【００２０】
この防塵眼鏡の使用に当たっては、図１に示すような形態で、通常の眼鏡のように着脱を容易にできる。テンプル部１６はその突起２２により所定角以上に拡がらないようにされ、装着するとテンプル部１６はその弾性によって顔を挟み付けることになる。また、防塵部１３の縁部は顔に軽く接触して、防塵機能を果たす。
【００２１】
この場合に、図６に示すようにヘッドバンド４の使用をも前提とした保護眼鏡においては、連結部１５が顔面に対して幅広に設定されている場合が多いので、単にテンプル部１６を取り代えただけでは、顔面への装着性が劣ってしまう場合がある。これに対して、テンプル部１６の基部１７とヒンジ部２０の間をクランク形状に構成していることによって、耳当部１９が頭部に十分に当接し、防塵部１３の顔面への当接を助長する。
【００２２】
箱等への収納時には、テンプル部１６のバンド挿通軸１４に対する掛止は、回動に際してクリック機構が機能しているので、図４に示すように連結部１５において内側に回動した状態を維持でき、コンパクトな形状に折り畳んで収納することができる。更に、作業着等の胸ポケットへの収納時には、基部１７がポケット収納の際に引っ掛かり易い防塵部１３をも内側に折り込むように抑えるので、出し入れし易い。
【００２３】
なお図３に示すように、バンド挿通軸１４の断面を適当な形状、例えば矩形状に形成しておくことで、円弧状のフック部１８と組み合わせ、更に前述のクリック機構と併せて、連結部１５において折り畳んだ際に、防塵部１３の弾発力によっても不時にテンプル部１６が開くことはない。
【００２４】
また、図５に示すようにヒンジ部２０においても、内側に折り曲げることができるので、使用の途中で外して、机の上に小さくして置いたり、胸ポケット等に耳当部１９のみを挿し込み、引っ掛けることもできる。
【００２５】
高粉塵濃度の作業現場や薬液飛沫、塗装作業現場等の悪環境において、防塵眼鏡の脱落を防止し、かつ防塵部１３を顔面に強く装着させる必要がある場合には、バンド挿通軸１４からテンプル部１６のフック部１８を取り外し、図６に示すようにバンド挿通軸１４に、通常のゴーグルに使用されているヘッドバンド４の端部を挿通することにより、ゴーグルタイプの防塵眼鏡に変更することができる。
【産業上の利用可能性】
【００２６】
また、テンプル部１６が破損したり、汚れた場合にはテンプル部１６のみを新品の部材に交換することができる。更には、使用者に応じて、異なる大きさのテンプル部１６と代替することができる。
【００２７】
なお、実施例１におけるテンプル部１６は伸縮しないが、テンプル部１６を複数の筒状から形成し、伸縮自在としてもよい。
【図面の簡単な説明】
【００２８】
【図１】テンプル部を取り付けた防塵眼鏡を後方から見た斜視図である。
【図２】テンプル部の斜視図である。
【図３】テンプル部の取付状態の断面図である。
【図４】テンプル部をその基部で折り曲げた状態の斜視図である。
【図５】テンプル部をヒンジ部で折り曲げた状態の斜視図である。
【図６】バンドを取り付けた防塵眼鏡を後方から見た斜視図である。
【符号の説明】
【００２９】
１１  眼鏡部
１２  フレーム部
１３  防塵部
１４  バンド挿通軸
１５  連結部
１６  テンプル部
１７  基部
１８  フック部
１９  耳当部
２０  ヒンジ部
【図３】
2005128426.tif 000003
【図１】
2005128426.tif 000004
【図２】
2005128426.tif 000005
【図４】
2005128426.tif 000006
【図５】
2005128426.tif 000007
【図６】
2005128426.tif 000008